(57)【要約】【課題】博覧会やテーマパーク等の会場において、迷子が発生し、発見された場合、保護者に短時間で連絡を取ることができる通信システムを提供する。【解決手段】ＩＣタグと、第一の携帯電話と、第二の携帯電話と、第一の携帯電話及び第二の携帯電話と、携帯電話に接続するリーダライタ装置と、により構成される。リーダライタ装置を保護者の連絡先である第一の携帯電話に接続して、第一の携帯電話の電話番号情報を読み出し、読み出した電話番号情報をＩＣタグに書き込み、前記電話番号情報が書き込まれたＩＣタグに紐を通し、迷子が想定される人物の首から提げて所持させる。迷子が想定される人物が迷子として会場係員に発見された場合、会場係員が所持している第二の携帯電話を前記リーダライタ装置に接続し、迷子の所持している前記ＩＣタグから第一の携帯電話の電話番号情報を読み出して発信し、連絡を取ることが出来る。【選択図】　図１
2004048357.tif 000002
【特許請求の範囲】
【請求項１】
迷子発見者から保護者へ連絡する通信システムであって、
被保護者に付帯され、保護者所有の第１電話番号を記憶した可搬性記憶媒体と、
前記可搬性記憶媒体が近接したとき、前記可搬性記憶媒体が記憶している第１電話番号を読み出すリーダライタ装置と、
前記リーダライタ装置に接続され、前記リーダライタ装置が前記可搬性記憶媒体から読み出した第１電話番号を受け取り、当該電話番号宛てに発呼する電話機と
を備えることを特徴とする通信システム。
【請求項２】
前記リーダライタ装置は、保護者が所持する携帯電話機に接続され、前記携帯電話機に割り当てられた第１電話番号を読み出し、読み出した第１電話番号を前記可搬性記憶媒体に書き込む
ことを特徴とする請求項１記載の通信システム。
【請求項３】
前記通信システムは、さらに、
保護者が所持する携帯電話機に接続され、前記携帯電話機に割り当てられた第１電話番号を読み出し、読み出した第１電話番号を前記可搬性記憶媒体に書き込む、書き込み用リーダライタ装置を備える
ことを特徴とする請求項１記載の通信システム。
【請求項４】
前記リーダライタ装置は、前記可搬性記憶媒体に、電波及び電磁波を用いて非接触に電話番号を送信し、可搬性記憶媒体から、電波及び電磁波を用いて非接触に電話番号を受信する
ことを特徴とする請求項１記載の通信システム。
【請求項５】
前記リーダライタ装置は、さらに、前記電話機に割り当てられた第２電話番号を記憶しており、
前記リーダライタ装置は、前記第２電話番号を前記携帯電話機に出力し、
前記第２電話番号を受け取った前記携帯電話機は、前記第２電話番号を記憶し、
前記携帯電話機は、前記第２電話番号を読み出して前記電話機に発呼し、前記電話機からの発信を受けると、前記電話機を所持している係員からの発信であることを表示する
ことを特徴とする請求項２記載の通信システム。
【請求項６】
前記電話機は、さらに、前記電話機の位置を示す地図情報を取得し、
前記電話機は、前記第１電話番号が示す電話機に発呼した後、取得した前記地図情報を、前記携帯電話機へ送信する
ことを特徴とする請求項３記載の通信システム。
【請求項７】
前記電話機は、さらに、前記電話機の設置場所周辺の画像を取得し、
前記電話機は、前記第１電話番号が示す電話機に発呼した後、取得した前記画像を前記携帯電話機へ送信する
ことを特徴とする請求項３記載の通信システム。
【請求項８】
前記電話機は、さらに、移動可能で、電波を用いて通信する携帯型電話機であり、人工衛星から位置情報を取得するＧＰＳ機能を備えており、
前記電話機は、前記ＧＰＳ機能により前記電話機の位置情報を取得し、前記電話機が、前記第１電話番号が示す電話機に発呼した後、前記位置情報を前記携帯電話機ヘ送信する
ことを特徴とする請求項３に記載の通信システム。
【請求項９】
前記電話機は、さらに、画像を撮影する撮影手段を備えており、
前記撮影手段により画像を撮影し、前記電話機が、前記第１電話番号が示す電話機に発呼した後、前記画像を前記携帯電話機へ送信する
ことを特徴とする請求項３記載の通信システム。
【請求項１０】
保護者が、迷子になった被保護者の位置を検索する検索システムであって、
被保護者が所持しており、被保護者に固有の特定情報を記憶している情報記憶媒体と、
固有のＩＤを割り当てられており、前記情報記憶媒体から前記特定情報を読み出して送信する検索用リーダライタ装置と、
ＩＤ及び特定情報を受信し、受信したＩＤ及び特定情報を記憶する記憶手段と、
被保護者を検索する保護者より、特定情報を取得すると、取得した特定情報と同一の特定情報及び前記特定情報と共に受信したＩＤを前記情報記憶手段から検索して出力する検索手段を備える検索装置と
から構成されることを特徴とする検索システム。
【請求項１１】
前記検索装置は、前記受信した特定情報が、すでに受信して記憶している特定情報と同一の場合、情報記憶部に記憶している前記特定情報と共に受信したＩＤを、最後に前記特定情報と共に受信したＩＤに書き換える
ことを特徴とする請求項１０記載の検索システム。
【請求項１２】
前記保護者は、携帯電話機を有し、前記検索装置は、さらに、当該検索装置に割り当てられた固有の検索装置電話番号を持ち、
前記携帯電話機は、さらに、前記検索装置電話番号が示す装置に発信し、保護者より特定情報の入力を受け付け、受け付けた特定情報を前記検索装置へ出力する
ことを特徴とする請求項１０記載の検索システム。
【請求項１３】
前記検索システムは、さらに、リーダライタ装置を備え、前記携帯電話機は、前記特定情報を記憶しており、
前記リーダライタ装置は、前記携帯電話機に接続され、前記携帯電話機から前記特定情報を読み出し、読み出した前記特定情報を前記可搬性記憶媒体に送信し、
前記可搬性記憶媒体は、受信した前記特定情報を記憶する
ことを特徴とする請求項１０記載の検索システム。
【請求項１４】
前記リーダライタ装置は、さらに、検索装置電話番号を予め記憶しており、
前記リーダライタ装置は、前記携帯電話機に接続され、記憶している前記検索装置電話番号を前記携帯電話機に出力し、
前記携帯電話機は、受け取った前記検索装置電話番号を記憶し、
被保護者の位置を検索する場合、前記携帯電話機は、保護者より特定情報の入力を受け付け、受け付けた特定情報を前記検索装置へ出力する
ことを特徴とする請求項１０記載の検索システム。
【発明の詳細な説明】
【０００１】
【発明の属する技術分野】
本発明は、主として博覧会やテーマパーク等での迷子の探索を容易にする技術に関する。
【０００２】
【従来の技術】
博覧会やテーマパークなどの会場においては、幼少者が迷子になりがちである。その場合、迷子と思われる人物を会場係員が発見すると、係員が直接に迷子から氏名等の保護者探索に必要な情報の確認を試みる。氏名等が確認できた場合は、氏名等の情報を、また氏名等の情報が確認できない場合は、迷子の容姿等を会場内放送で連絡し、後は保護者からの連絡を待つのみであった。このような方法では多大な労力や時間がかかる。
【０００３】
上記のような、保護者に迷子情報を知らせるための労力を軽減し、保護者が迷子を検索する方法として、特開２００１−２２３７９８号公報に記載された技術がある。この技術は、入場チケット、公衆電話機及び各種ゲートから成る複数の端末を用いた連絡等支援方法である。前記入場チケットは固有のＩＤ及びグループＩＤを持つＩＣカードであり、前記公衆電話機及び各種ゲートには固有のＩＤが割り当てられている。前記入場チケットが公衆電話機及び各種ゲートにおいて使用されたとき、入場チケットの持つ固有のＩＤと、グループＩＤと、入場チケットが用いられた公衆電話機及び各種ゲートの持つ端末ＩＤとが管理サーバに送られる。これらのＩＤを前記管理サーバで管理することによって、グループ内の行動を把握するグループ内検索、迷子登録及び迷子検索ができる。
【０００４】
【発明が解決しようとする課題】
しかしながら、特開２００１−２２３７９８号公報に記載の方法は、入場チケットの通過する場所を追跡記憶する技術であり、ゲート等の特定場所を通過しない限り、迷子の位置がわからないものである。即ち、もっと端的に言えば、会場係員が迷子を発見した場合であっても、迷子が保護者へ連絡するための電話番号を知らない限り、会場係員が保護者に直接連絡を取ることは出来ないものである。
【０００５】
本発明はこの問題を解決し、迷子を発見した会場係員は、短時間で直接迷子の保護者に連絡を取ることを第１の目的とする。また、本発明は、迷子が発見されていない場合も、保護者が迷子の位置を検索できるシステムを提供することを第２の目的とする。
【０００６】
【課題を解決するための手段】
上記第１の目的を解決するために、被保護者に付帯され、保護者所有の電話番号を記憶した可搬性記憶媒体と、前記可搬性記憶媒体が近接したとき、前記可搬性記憶媒体が記憶している電話番号を読み出すリーダライタ装置と、前記リーダライタ装置に接続され、前記リーダライタ装置が前記可搬性記憶媒体から読み出した電話番号を受け取り、当該電話番号宛てに発呼する電話機とを備えることを特徴とする通信システムである。
【０００７】
このシステムによって、迷子を発見した人物が、保護者に短時間で確実に連絡することが出来る。
上記第２の目的を解決するために、被保護者が所持しており、被保護者に固有の特定情報を記憶している可搬性記憶媒体と、固有のＩＤを割り当てられており、前記可搬性記憶媒体から前記特定情報を読み出して送信する検索用リーダライタ装置と、ＩＤ及び特定情報を受信し、受信したＩＤ及び特定情報を記憶する記憶手段と、被保護者を検索する保護者より、特定情報を取得すると、取得した特定情報と同一の特定情報及び前記特定情報と共に受信したＩＤを前記情報記憶手段から検索して出力する検索手段を備える検索装置とから構成されることを特徴とする検索システムである。
【０００８】
このシステムによって、迷子が発見されていない場合、保護者は迷子が通過した位置及び時間を検索できる。
【０００９】
【発明の実施の形態】
以下、図を用いて本発明の実施の形態について説明する。
１．迷子連絡システム２０００の構成
迷子連絡システム２０００は、博覧会やテーマパークなど多数の人が集まる会場において、会場の係員が迷子を発見した場合に、係員が迷子の保護者へ即座に連絡するのに用いられるものである。
【００１０】
迷子連絡システム２０００は、図１に全体構成を示す。会場３０００の入場口の近辺には、書き込み用リーダライタ装置２００が設置され、子供が携帯する非接触タグ１００に親が持つ第一の携帯電話３００の電話番号を書き込むのに用いられる。
係員が携帯する第二の携帯電話５００は、ＧＰＳ衛星６０１〜６０４から位置情報を取得し、基地局７００、携帯電話網８００を経由して位置情報をサーバ９００へ送り、現在位置を示す地図を取得する機能を有する。
【００１１】
読み出し用リーダライタ装置４００は、第二の携帯電話５００に電気的に接続されて係員に携帯されており、非接触タグ１００に書き込まれている電話番号を読み出すのに用いられる。
また、会場３０００内の案内所には検索装置１０００が設置され、検索装置１０００に接続された複数の検索用リーダライタ装置１００８〜１０１１が、会場３０００内の複数の箇所に設置されている。検索用リーダライタ装置１００８〜１０１１は、非接触タグ１００が近接すると、非接触タグ１００が記憶している電話番号を読み出し、検索装置１０００に送信する機能を有する。
【００１２】
第一の携帯電話３００は、基地局７００、携帯電話網８００、電話網１１００を介して検索装置１０００と通信し、非接触タグ１００から電話番号を読み出したリーダライタ装置の設置場所を取得する機能を有する。
次に、上記各構成について、詳細に説明する。
１．１　非接触タグ１００
非接触タグ１００は、長さ３０ｍｍ、幅５ｍｍ、厚さ０．５ｍｍの板状に形成された樹脂内に、ＩＣチップとアンテナ１０１とが、封入されて形成されている。ＩＣチップは、図２に示すように、送受信部１０２、制御部１０３、電話番号情報を記憶する記憶領域を備えた記憶部１０４、電源１０５から構成される。
【００１３】
電源１０５は、バッテリー型の電源であるが、リーダライタ装置からアンテナ１０１を介して受信する電磁波で電力を生成する電源でも良い。
制御部１０３は、アンテナ１０１及び送受信部１０２を介してリーダライタ装置と通信する。通信可能な距離は約１ｍであり、通信速度２６Ｋｂｐｓである。
制御部１０３は、保護者が所持する第一の携帯電話３００に割り当てられた第一の電話番号を、書き込み用リーダライタ装置２００から受信し、記憶部１０４に前記第一の電話番号を書き込む。
【００１４】
制御部１０３は、読み出し用リーダライタ装置４００又は検索用リーダライタ装置１００８〜１０１１から電話番号情報を読み出すための読み出し命令を受信すると、記憶部１０４から前記第一の電話番号を読み出し、読み出し用リーダライタ装置４００又は検索用リーダライタ装置１００８〜１０１１に送信する。
１．２　書き込み用リーダライタ装置２００
書き込み用リーダライタ装置２００は、図２に示すように、アンテナ２０１、送受信部２０２、制御部２０３、入力部２０４、記憶部２０５から成る。
【００１５】
記憶部２０５は、予め、第一の携帯電話３００から第一の電話番号を読み出すための読み出し命令と、第二の携帯電話５００に割り当てられた第二の電話番号と、検索装置１０００に割り当てられた検索電話番号と、を記憶している。
制御部２０３は、第一の携帯電話３００と接続され、入力部２０４から動作開始の入力を受けると、第一の携帯電話３００に読み出し命令を送る。
【００１６】
制御部２０３は、第一の携帯電話３００から読み出した第一の電話番号を受け取ると、前記第一の電話番号を送受信部２０２及びアンテナ２０１を介して非接触タグ１００に送信する。また、制御部２０３は、記憶部２０５に予め記憶している第二の電話番号と検索電話番号とを読み出し、前記第二の電話番号及び検索電話番号とを第一の携帯電話３００に送る。
【００１７】
１．３　第一の携帯電話３００
第一の携帯電話３００は、図２に示すように、アンテナ３０１、送受信部３０２、制御部３０３、表示部３０４、入力部３０５、スピーカ３０６、マイク３０７、複数の電話番号を記憶する情報記憶部３０８、リーダライタ接続部３０９から成る。
【００１８】
情報記憶部３０８は、電話番号を記憶する記憶領域を備えており、第一の携帯電話３００に割り当てられた第一の電話番号を予め記憶している。
リーダライタ接続部３０９は、書き込み用リーダライタ装置２００と接続され、制御部３０３は、前記書き込み用リーダライタ装置２００から前記読み出し命令を受け取ると、情報記憶部３０８から第一の電話番号を読み出し、前記読み出した第一の電話番号を書き込み用リーダライタ装置２００に送る。また、制御部３０３は、書き込み用リーダライタ装置２００から第二の電話番号と検索電話番号とを受け取ると、前記第二の電話番号及び検索電話番号を情報記憶部３０８の記憶領域に書き込む。
【００１９】
制御部３０３は、アンテナ３０１及び送受信部３０２を介して、第二の携帯電話からの通信を着信する。
制御部３０３は、第二の携帯電話５００から受信する位置情報及び迷子の現在位地付近の静止画像をアンテナ３０１及び送受信部３０２を介して受信し、表示部３０４に表示させる。
【００２０】
迷子を検索する場合、第一の携帯電話３００の制御部３０３は、情報記憶部３０８から検索電話番号を読み出し、読み出した検索電話番号を用いて検索装置に発信する。入力部３０５は第一の電話番号を入力し、制御部３０３は入力した第一の電話番号を送受信部３０２及びアンテナ３０１を介して検索装置１０００に送信する。制御部３０３は、検索装置１０００から、前記非接触タグ１００が検索用リーダライタ装置１００８〜１０１１を最後に通過した時刻と、場所を表す地図とを受信し、表示部３０４に表示させる。
【００２１】
１．４　読み出し用リーダライタ装置４００
読み出し用リーダライタ装置４００は、図３に示すように、アンテナ４０１、送受信部４０２、制御部４０３、入力部４０４、記憶部４０５から成る。
記憶部４０５は、非接触タグ１００から第一の電話番号を読み出すための読み出し命令と、読み出し用リーダライタ装置４００に接続された携帯電話に前記第一の電話番号が示す電話機へ発呼させるための発信命令を予め記憶している。
【００２２】
制御部４０３は、第二の携帯電話５００のリーダライタ接続部５０９と接続され、入力部４０４から動作開始の入力を受けると、送受信部４０２及びアンテナ４０１を介して非接触タグ１００に読み出し命令を送信する。
制御部４０３は、アンテナ４０１及び送受信部４０２を介して非接触タグ１００から第一の電話番号を受信すると、第二の携帯電話５００に前記第一の電話番号及び発信命令を送る。
【００２３】
１．５　第二の携帯電話５００
第二の携帯電話５００は、図３に示すように、アンテナ５０１、送受信部５０２、制御部５０３、表示部５０４、入力部５０５、スピーカ５０６、マイク５０７、情報記憶部５０８、リーダライタ接続部５０９、ＧＰＳ用アンテナ５１０、ＧＰＳ送受信部５１１、位置決定部５１２、静止画を撮影する撮像部５１３、画像記憶部５１４から成る。
【００２４】
リーダライタ接続部５０９は、読み出し用リーダライタ装置４００と接続され、制御部５０３は、読み出し用リーダライタ装置４００から第一の電話番号及び発信命令を受け取ると、前記第一の電話番号を用いて発信し、第一の携帯電話３００と通信する。
位置決定部５１２は、ＧＰＳ用アンテナ５１０及び送受信部５１１を介してＧＰＳ衛星６０１〜６０４からの電波を受信してＧＳＰ衛星からの距離を算出する。制御部５０３は、前記算出結果を送受信部５０２及びアンテナ５０１を介してサーバに送信し、サーバから位置情報を取得する。また、撮像部５１３は迷子の現在地付近の静止画像を１２０×１６０ドットのＪＰＥＧ形式で撮影し、画像記憶部５１４に記憶する。制御部５０３は、前記位置情報及び静止画像を送受信部５０２及びアンテナ５０１を介して第一の携帯電話３００に送信する。
【００２５】
１．６　検索用リーダライタ装置１００８、１００９、１０１０、１０１１
検索用リーダライタ装置１００８〜１０１１の構造は、書き込み用リーダライタ装置２００及び読み出し用リーダライタ装置４００と同様の構成をしているため、説明を省略する。
検索用リーダライタ装置１００８〜１０１１は、会場内に設置されており、それぞれ固有のＩＤを持っている。
【００２６】
検索用リーダライタ装置１００８〜１０１１は、非接触タグ１００から第一の電話番号を読み出し、前記読み出した第一の電話番号及び前記ＩＤを検索装置１０００に送信する。
１．７　検索装置１０００
検索装置１０００は、図４に示す、検索用リーダライタ装置１００８〜１０１１から第一の電話番号を受信する送受信部１００１、制御部１００２、入力部１００３、表示部１００４、情報記憶部１００５、計時部１００６及び一般の電話回線につながっている電話用送受信部１００７から構成される。
【００２７】
この装置は、具体的には、マイクロプロセッサ、ＲＯＭ、ＲＡＭ、ハードディスクユニット、ディスプレィユニット、キーボード、マウスなどから構成されるコンピュータシステムである。前記ＲＡＭ又は前記ハードディスクユニットには、コンピュータプログラムが記憶されている。
前記マイクロプロセッサが、前記コンピュータプログラムに従って動作することにより、
前記装置は、その機能を達成する。
【００２８】
情報記憶部１００５は、図５の５−１に示す、検索用リーダライタ装置１００８〜１０１１のＩＤと対応する検索用リーダライタ装置の設置場所を記載している会場内の地図を記憶している。また、図６に示す、検索用リーダライタ装置１００８〜１０１１何れかから受信する第一の電話番号と、電話番号を受信した検索用リーダライタ装置のＩＤと、前記第一の電話番号を受信した時刻とを記憶する検索情報ファイルを記憶しておく記憶部領域を備えている。
【００２９】
制御部１００２は、送受信部１００１を介して検索用リーダライタ装置１００８〜１０１１の何れかから第一の電話番号及び前記第一の電話番号を受信した検索用リーダライタ装置１００８〜１０１１のＩＤを受信する。制御部１００２は、時刻を計時している計時部１００６で前記第一の電話番号を受信した時刻を確認する。前記時刻とＩＤとを、前記第一の電話番号の情報として、情報記憶部１００５の検索情報ファイルに書き込む。制御部１００２は第一の電話番号の受信毎に、受信したリーダライタ装置のＩＤ及び時刻を更新する。
【００３０】
制御部１００２は電話用送受信部１００７を介して、第一の携帯電話３００から第一の電話番号を受信すると、情報記憶部１００５の地図情報から前記会場内の地図を読み出し、検索情報ファイルから第一の電話番号の情報である、ＩＤ及び時刻を読み出し、前記読み出したＩＤを前記会場内の地図に書かれている設置場所と対応させ、迷子が通過した場所として図５の５−２のように地図上に書き込み、前記書き込まれた地図と前記時刻とを電話用送受信部１００７から第一の携帯電話３００に送信する。
２．迷子連絡システムの動作
２．１　非接触タグ１００へ第一の電話番号を書き込む
第一の携帯電話３００の電話番号である第一の電話番号を非接触タグ１００へ書き込む場合の動作を、図７に示すフローチャートを利用して説明する。
【００３１】
書き込み用リーダライタ装置２００は第一の携帯電話３００に接続され、入力部２０４から入力され（ステップＳ１１）、第一の携帯電話３００に読み出し命令を送る（ステップＳ１２）。読み出し命令を受け取った第一の携帯電話３００は第一の電話番号を読み出し（ステップＳ１３）、読み出した第一の電話番号を書き込み用リーダライタ装置２００に送る（ステップＳ１４）。書き込み用リーダライタ装置２００は、受け取った第一の電話番号を非接触タグ１００に送信する（ステップＳ１５）。第一の電話番号を受信した非接触タグ１００は、記憶部１０４に第一の電話番号を記憶する（ステップＳ１６）。
【００３２】
非接触タグ１００に第一の電話番号を送信した書き込み用リーダライタ装置２００は、記憶部２０５に記憶している第二の電話番号及び検索電話番号を読み出し（ステップＳ１７）、読み出した第二の電話番号及び検索電話番号を第一の携帯電話３００に送る（ステップＳ１８）。第二の電話番号及び検索電話番号を受け取った第一の携帯電話３００は、情報記憶部３０８に前記第二の電話番号及び検索用電話番号を記憶する（ステップＳ１９）。
【００３３】
第一の電話番号が書き込まれた非接触タグ１００は、紐を通して迷子が想定される人物の首から提げて衣服に留めて所持させる。
２．２　非接触タグ１００から第一の電話番号を読み出す
非接触タグ１００から第一の電話番号を読み出し、保護者に連絡をとる場合の動作を、図８に示すフローチャートを利用して説明する。
【００３４】
非接触タグ１００を所持している人物が迷子として会場係員に発見された場合、読み出し用リーダライタ装置４００は第二の携帯電話５００に接続され、入力部４０４から入力し（ステップＳ２１）、非接触タグ１００に読み出し命令を送信する（ステップＳ２２）。読み出し命令を受信した非接触タグ１００は記憶部１０４から第一の電話番号を読み出し（ステップＳ２３）、読み出した第一の電話番号を読み出し用リーダライタ装置４００に送信する（ステップＳ２４）。前記第一の電話番号を受け取った読み出し用リーダライタ装置４００は、発信命令を読み出し（ステップＳ２５）、第一の電話番号、発信命令を第二の携帯電話５００に送る（ステップＳ２６）。第一の電話番号及び発信命令を受け取った第二の携帯電話５００は、第一の電話番号で第一の携帯電話３００に発信し（ステップＳ２７）、第一の携帯電話３００を呼び出す（ステップＳ２８）。第一の携帯電話３００は着信し（ステップＳ２９）、第一の携帯電話３００及び第二の携帯電話５００は通信する（ステップＳ３０ａ及びｂ）。
【００３５】
第二の携帯電話５００は、ＧＰＳシステムで位置情報を取得し（ステップＳ３１）、取得した位置情報を第一の携帯電話３００に送信する（ステップＳ３２）。第一の携帯電話３００は、受信した位置情報を表示する（ステップＳ３３）。また、第二の携帯電話５００は、撮影機能で迷子の現在地付近の静止画像を撮影し（ステップＳ３４）、撮影した静止画像を第一の携帯電話３００に送信する（ステップＳ３５）。第一の携帯電話３００は、受け取った静止画像を表示部３０４に表示する（ステップＳ３６）。
【００３６】
２．３　迷子の位置を検索する
検索用リーダライタ装置１００８〜１０１１を利用する、会場係員に発見されていない迷子の検索を図９及び図１０を利用して説明する。
検索用リーダライタ装置１００８〜１０１１は、非接触タグ１００を所持している人物の通過毎に、非接触タグ１００から第一の電話番号を読み出し（ステップＳ４１）、読み出した第一の電話番号及び前記第一の電話番号を受信した検索用リーダライタ装置１００８〜１０１１のＩＤを、検索装置１０００に送信する（ステップＳ４２）。
【００３７】
検索装置１０００は、検索用リーダライタ装置１００８〜１０１１から第一の電話番号及びＩＤを送受信部１００１で受信すると制御部１００２に送り（ステップＳ４３）、制御部１００２は、第一の電話番号を受信した時刻を計時部１００６で確認し（ステップＳ４４）、前記第一の電話番号と、時刻と、ＩＤとを情報記憶部１００５へ送り（ステップＳ４５）、情報記憶部１００５は、受け取った第一の電話番号、ＩＤ及び時刻を検索情報ファイルに記憶する（ステップＳ４６）。
【００３８】
保護者は、会場係員に発見されていない迷子を検索する場合、第一の携帯電話３００から検索電話番号で検索装置１０００に発信し、第一の電話番号を入力し（ステップＳ５１）、検索装置１０００に第一の電話番号を送信する（ステップＳ５２）。
検索装置１０００は、第一の携帯電話３００から第一の電話番号を受信すると、前記第一の電話番号を制御部１００２に送り（ステップＳ５３）、第一の電話番号を受け取った制御部１００２は、第一の電話番号に関する情報を読み出す為の情報読み出し命令を読み出し（ステップＳ５４）、前記命令を情報記憶部１００５に発行し（ステップＳ５５）、情報記憶部１００５に記憶している検索情報ファイルの第一の電話番号の情報から時刻と、ＩＤとを読み出し、地図情報から地図を読み出し（ステップＳ５６）、読み出した情報を制御部１００２に送り（ステップＳ５７）、制御部１００２は時刻とＩＤと地図とを受け取ると、ＩＤに対応する設置場所を地図上に示し（ステップＳ５８）、前記地図と時刻とを電話用送受信部１００７に送り（ステップＳ５９）、第一の携帯電話３００に送信する（ステップＳ６０）。第一の携帯電話３００は、検索装置１０００から、時刻と地図とを受信し、表示する（ステップＳ６１）。
３．その他の変形例
なお、本発明を上記の実施の形態に基づいて説明してきたが、本発明は、上記の実施の形態に限定されないのはもちろんである。以下のような場合も本発明に含まれる。
・迷子連絡のほか、ペットの捜索、老人徘徊等の対策。
・第二の携帯電話５００から第一の携帯電話３００へ送信する画像を、動画にする。
・検索装置１０００で迷子を検索する際、検索装置１０００に第一の電話番号を手入力する。
・書き込み用リーダライタ装置２００及び読み出し用リーダライタ装置４００は、携帯電話の中に組み込み、一体型とする。また、書き込み用リーダライタ装置２００と読み出し用リーダライタ装置４００は、一つの装置で書き込みと読み出しの両方の動作をする。
・非接触タグ１００は、会場への入場チケットとする。
・非接触タグ１００を迷子が想定される人物に所持させる場合、紐を通して首から下げる以外にも、紐や輪ゴムで腕や足に通す、安全ピンで衣服等に留める、シール状にして貼り付ける、子供が興味を持ちそうな玩具等に組み込み所持させる、等のようにする。
・第二の携帯電話５００は、読み出し用リーダライタ装置４００から電話番号を受信すると、電話番号を記憶し、前記電話番号に発信すると、通話が成立したか否か記録され、通話が成立していない場合は、予め指定した時間が経過すると、再び発信する。
・第二の携帯電話５００は、他の電話機に発信すると、発信履歴を情報記憶部に記憶する。
・会場係員の電話機に記憶されている保護者の携帯電話の電話番号は、会場係員から保護者への通信が終了すると、消去される。
・保護者の携帯電話の電話番号は、保護者が迷子を引き取りにきたときに消去する。
・第二の携帯電話５００は、他の電話機に発信した後、前回発信してから指定した時間経過しても、前記電話機の電話番号が消去されていないと、再び前記電話機に発信する。
・第二の携帯電話５００から保護者の電話機へ迷子の通知を発信する際、予め録音した迷子通知の音声や予め記憶されているメールが送信される。
・第二の携帯電話５００に記憶されている第一の電話番号は、一日たつと削除される。
【００３９】
本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ　Ｄｉｓｃ）、半導体メモリなど、に記録したものとしてもよい。また、これらの記録媒体に記録されている前記コンピュータプログラム又は前記デジタル信号であるとしてもよい。
【００４０】
また、本発明は、前記コンピュータプログラム又は前記デジタル信号を、電気通信回線、無線又は有線通信回線、インターネットを代表とするネットワーク等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００４１】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
上記実施の形態及び上記変形例をそれぞれ組み合わせるとしてもよい。
【００４２】
【発明の効果】
以上説明したように、本発明は迷子発見者から保護者へ連絡する通信システムであって、被保護者に付帯され、保護者所有の第１電話番号を記憶した可搬性記憶媒体と、前記可搬性記憶媒体が近接したとき、前記可搬性記憶媒体が記憶している第１電話番号を読み出すリーダライタ装置と、前記リーダライタ装置に接続され、前記リーダライタ装置が前記可搬性記憶媒体から読み出した第１電話番号を受け取り、当該電話番号宛てに発呼する電話機とを備えることを特徴とする通信システムである。
【００４３】
この構成によると、保護者の携帯電話機の電話番号を可搬性記憶媒体から読み出して発行することによって、迷子発見者から保護者へ直接連絡することが出来るという効果がある。
ここで、前記リーダライタ装置は、保護者が所持する携帯電話機に接続され、前記携帯電話機に割り当てられた第１電話番号を読み出し、読み出した第１電話番号を前記可搬性記憶媒体に書き込むようにしても良い。
【００４４】
この構成によると、保護者の電話番号を、保護者の携帯電話機から読み出して可搬性記憶媒体に書き込むため、博覧会やテーマパーク等に入場する際に、保護者の電話番号を可搬性記憶媒体に書き込むことが出来るという効果がある。
ここで、前記通信システムは、さらに、保護者が所持する携帯電話機に接続され、前記携帯電話機に割り当てられた第１電話番号を読み出し、読み出した第１電話番号を前記可搬性記憶媒体に書き込む、書き込み用リーダライタ装置を備えるようにしても良い。
【００４５】
この構成によると、書き込みに使用するリーダライタ装置と読み出しに使用するリーダライタ装置に分かれているため、操作のミスを防ぐことが出来るという効果がある。
ここで、前記リーダライタ装置は、前記可搬性記憶媒体に、電波を用いて非接触に電話番号を送信し、可搬性記憶媒体から、電波を用いて非接触に電話番号を受信するようにしても良い。
【００４６】
この構成によると、リーダライタ装置は可搬性記憶媒体に接触せずに電話番号を読み書きすることが出来るという効果がある。
ここで、前記リーダライタ装置は、さらに、前記電話機に割り当てられた第２電話番号を記憶しており、前記リーダライタ装置は、前記第２電話番号を前記携帯電話機に出力し、前記第２電話番号を受け取った前記携帯電話機は、前記第２電話番号を記憶し、前記携帯電話機は、前記第２電話番号を読み出して前記電話機に発呼し、前記電話機からの発信を受けると、前記電話機を所持している係員からの発信であることを表示するようにしても良い。
【００４７】
この構成によると、携帯電話機を所持している保護者は、係員の電話機からの発信を受信した場合、発信元が前記電話機を所持している係員であることを確認出来るという効果がある。
ここで、前記電話機は、さらに、前記電話機の位置を示す地図情報を取得し、前記電話機は、前記第１電話番号が示す電話機に発呼した後、取得した前記地図情報を、前記携帯電話機へ送信するようにしても良い。
【００４８】
この構成によると、保護者は、電話機の現在位置を示す地図を得ることで、被保護者の現在位置を知ることが出来るという効果がある。
ここで、前記電話機は、さらに、前記電話機の設置場所周辺の画像を取得し、前記電話機は、前記第１電話番号が示す電話機に発呼した後、取得した前記画像を前記携帯電話機へ送信するようにしても良い。
【００４９】
この構成によると、電話機の設置場所付近の画像を受け取ることによって、被保護者の現在位置の目印になるものを確認することが出来るという効果がある。
ここで、前記電話機は、さらに、移動可能で、電波を用いて通信する携帯型電話機であり、人工衛星から位置情報を取得するＧＰＳ機能を備えており、前記電話機は、前記ＧＰＳ機能により前記電話機の位置情報を取得し、前記電話機が、前記第１電話番号が示す電話機に発呼した後、前記位置情報を前記携帯電話機ヘ送信するようにしても良い。
【００５０】
この構成によると、係員は携帯電話機を所持して移動可能で、保護者は係員から被保護者を発見した場所の地図を受け取ることが出来るという効果がある。
ここで、前記電話機は、さらに、画像を撮影する撮影手段を備えており、前記撮影手段により画像を撮影し、前記電話機が、前記第１電話番号が示す電話機に発呼した後、前記画像を前記携帯電話機へ送信するようにしても良い。
【００５１】
この構成によると、保護者は被保護者の姿や、被保護者の現在位置付近の画像を受け取ることで、被保護者が本人であることを確認し、被保護者の現在位置の目印になるものを確認することが出来るという効果がある。
ここで、保護者が、迷子になった被保護者の位置を検索する検索システムであって、被保護者が所持しており、被保護者に固有の特定情報を記憶している情報記憶媒体と、固有のＩＤを割り当てられており、前記情報記憶媒体から前記特定情報を読み出して送信する検索用リーダライタ装置と、ＩＤ及び特定情報を受信し、受信したＩＤ及び特定情報を記憶する記憶手段と、被保護者を検索する保護者より、特定情報を取得すると、取得した特定情報と同一の特定情報及び前記特定情報と共に受信したＩＤを前記情報記憶手段から検索して出力する検索手段を備える検索装置とから構成される検索システムのようにしても良い。
【００５２】
この構成によると、可搬性記憶媒体がどのリーダライタ装置を通過したか検索することによって、被保護者の通過した位置を検索することが出来るという効果がある。
ここで、前記検索装置は、前記受信した特定情報が、すでに受信して記憶している特定情報と同一の場合、情報記憶部に記憶している前記特定情報と共に受信したＩＤを、最後に前記特定情報と共に受信したＩＤに書き換えるようにしても良い。
【００５３】
この構成によると、可搬性記憶媒体を所持する被保護者が最後にリーダライタ装置を通過した地点を検索することが出来るという効果がある。
ここで、前記保護者は、携帯電話機を有し、前記検索装置は、さらに、当該検索装置に割り当てられた固有の検索装置電話番号を持ち、前記携帯電話機は、さらに、前記検索装置電話番号が示す装置に発信し、保護者より特定情報の入力を受け付け、受け付けた特定情報を前記検索装置へ出力するようにしても良い。
【００５４】
この構成によると、保護者は現在位置を移動することなく、被保護者を検索できるという効果がある。
ここで、　前記検索システムは、さらに、リーダライタ装置を備え、前記携帯電話機は、前記特定情報を記憶しており、前記リーダライタ装置は、前記携帯電話機に接続され、前記携帯電話機から前記特定情報を読み出し、読み出した前記特定情報を前記可搬性記憶媒体に送信し、前記可搬性記憶媒体は、受信した前記特定情報を記憶するようにしても良い。
【００５５】
この構成によると、特定情報を携帯電話機から可搬性記憶媒体へ、第三者に知られることなく書き込めるという効果がある。
ここで、前記リーダライタ装置は、さらに、検索装置電話番号を予め記憶しており、
前記リーダライタ装置は、前記携帯電話機に接続され、記憶している前記検索装置電話番号を前記携帯電話機に出力し、
前記携帯電話機は、受け取った前記検索装置電話番号を記憶し、被保護者の位置を検索する場合、前記携帯電話機は、保護者より特定情報の入力を受け付け、受け付けた特定情報を前記検索装置へ出力するようにしても良い。
【００５６】
この構成によると、携帯電話機が検索装置電話番号を記憶することで、記憶している検索装置電話番号で、検索装置に発信することが出来るという効果がある。
【図面の簡単な説明】
【図１】迷子連絡システムの全体図を表す。
【図２】第一の携帯電話３００、書き込み用リーダライタ装置２００及び非接触タグ１００の構成を表す。
【図３】第二の携帯電話５００、読み出し用リーダライタ装置４００及び非接触タグ１００の構成を表す。
【図４】検索装置１０００の構成と会場内の検索用リーダライタ装置１００８〜１０１１を表す。
【図５】５−１は検索用リーダライタ装置１００８〜１０１１の設置場所を示す会場内の地図を表す。
５−２は電話番号を受信した検索用リーダライタ装置の設置場所を示す会場内の地図を表す。
【図６】検索情報ファイルの構成を示す。
【図７】非接触タグ１００に第一の電話番号を書き込む過程を示すフローチャートである。
【図８】非接触タグ１００から第一の電話番号を読み出す過程を示すフローチャートである。
【図９】検索用リーダライタ装置１００８〜１０１１から検索装置１０００に迷子の検索用のデータを送信する過程を示すフローチャートである。
【図１０】第一の携帯電話３００から検索装置１０００で迷子を検索する過程を示すフローチャートである。
【符号の説明】
１００　　非接触タグ
１０１　　アンテナ
１０２　　送受信部
１０３　　制御部
１０４　　記憶部
１０５　　電源
２００　　書き込み用リーダライタ装置
２０１　　アンテナ
２０２　　送受信部
２０３　　制御部
２０４　　入力部
２０５　　記憶部
３００　　第一の携帯電話
３０１　　アンテナ
３０２　　送受信部
３０３　　制御部
３０４　　表示部
３０５　　入力部
３０６　　スピーカ
３０７　　マイク
３０８　　情報記憶部
３０９　　リーダライタ接続部
４００　　読み出し用リーダライタ装置
４０１　　アンテナ
４０２　　送受信部
４０３　　制御部
４０４　　入力部
４０５　　記憶部
５００　　第二の携帯電話
５０１　　アンテナ
５０２　　送受信部
５０３　　制御部
５０４　　表示部
５０５　　入力部
５０６　　スピーカ
５０７　　マイク
５０８　　情報記憶部
５０９　　リーダライタ接続部
５１０　　ＧＰＳ用アンテナ
５１１　　送受信部
５１２　　位置決定部
５１３　　撮像部
５１４　　画像記憶部
６０１、６０２、６０３、６０４　ＧＰＳ衛星
７００　　基地局
８００　　携帯電話網
９００　　サーバ
１０００　　検索装置
１００１　　送受信部
１００２　　制御部
１００３　　入力部
１００４　　表示部
１００５　　情報記憶部
１００６　　計時部
１００７　　電話用送受信部
１００８　　検索用リーダライタ装置
１００８、１００９、１０１０、１０１１　検索用リーダライタ装置
１１００　　電話網
２０００　　迷子連絡システム
３０００　　会場
【図１】
2004048357.tif 000003
【図２】
2004048357.tif 000004
【図３】
2004048357.tif 000005
【図４】
2004048357.tif 000006
【図５】
2004048357.tif 000007
【図６】
2004048357.tif 000008
【図７】
2004048357.tif 000009
【図８】
2004048357.tif 000010
【図９】
2004048357.tif 000011
【図１０】
2004048357.tif 000012